(57)【特許請求の範囲】
【請求項１】
揮発性溶剤を含有する化粧料を保持する容器本体と蓋体とを有し、
前記蓋体の天面の周縁部には容器本体を気密に密閉する環状ガスケットが取付けられ、
前記蓋体の天面における前記環状ガスケットの内側には凹面が形成され、
前記凹面の最も大きく凹んだ部分である天頂部から該凹面の周縁部にかけて、化粧料から蒸発し前記蓋体の凹面に結露した溶剤を周縁部へ向けて導く傾斜面が形成され、
前記蓋体の凹面の天頂部側から周縁部側にかけて複数の溝が形成されたことを特徴とする結露垂れ防止コンパクト容器。
【発明の詳細な説明】
【０００１】
【産業上の利用分野】
本発明は、揮発性化粧料を保持するコンパクト容器に関するものであって、特に容器本体の化粧料から揮発し、蓋体の天面に結露した水分、油分等の溶剤が化粧料の表面に無造作に落下してしまうことを防止することができるコンパクト容器に関するものである。
【０００２】
【従来の技術】
近年、水分を始め溶剤を多く含有する化粧料が、使用感の良好さから人気を博しており、様々な化粧品に広く使われるようになっている。コンパクト容器に保持される化粧料も例外ではなく、揮発性溶剤を多く含有する化粧料が気密性を高めたコンパクト容器に保持され、商品化されるに至っている。
【０００３】
このような従来のコンパクト容器は、蓋体の天面の周縁部に環状ガスケットを配設し、蓋体を閉じた際、この環状ガスケットが化粧料を保持した容器本体に圧接することにより、コンパクト容器内部の気密性を保持する構造となっている。
【０００４】
【発明が解決しようとする課題】
しかしながら、上記したように気密性が保たれた容器であっても、かかるコンパクト容器が置かれる場所の温度が上昇する等の理由により、容器内部で化粧料の溶剤が揮発する場合がある。このように揮発した溶剤は蓋体天面に接触するとその表面で結露し、水滴状に付着することとなる。そして、この水滴が成長し、大きくなると、蓋体の天面から容器本体の化粧料の表面に無造作に落下し（結露垂れ）、化粧料の表面に結露垂れの跡が形成されてしまうこととなり、大きく美観を損ねるという問題があった。
【０００５】
特に、この溶剤の蓋体天面での結露は、生産された化粧品が商品として輸送され、店頭に並んでいる際にも生じるものであり、商品として美観が損なわれることは望ましいことではなく、商品の販売者からもかかる結露垂れの問題を解決するコンパクト容器の登場が望まれていた。
【０００６】
そこで、本発明の目的は、蓋体天面に化粧料から揮発した溶剤が結露した場合であっても、結露した溶剤が化粧料の表面に無造作に落下することがなく、もって化粧料表面の美観を保つことができるコンパクト容器を提案することにある。
【０００７】
【課題を解決するための手段】
本発明は、揮発性溶剤を含有する化粧料を保持する容器本体と蓋体とを有し、前記蓋体の天面の周縁部には容器本体を気密に密閉する環状ガスケットが取付けられ、前記蓋体の天面における前記環状ガスケットの内側には凹面が形成され、前記凹面の最も大きく凹んだ部分である天頂部から該凹面の周縁部にかけて、化粧料から蒸発し前記蓋体の凹面に結露した溶剤を周縁部へ向けて導く傾斜面が形成され、前記蓋体の凹面の天頂部側から周縁部側にかけて複数の溝が形成されたことを特徴とする結露垂れ防止コンパクト容器を構成して上記課題を解決している。
【０００８】
【発明の実施の形態】
本発明に係るコンパクト容器の参考例及び実施例を図を用いて説明する。図１は蓋体を開いた状態の、参考例に係るコンパクト容器の平面図、図２は蓋体を閉じた状態の、参考例に係るコンパクト容器の側断面図、図３は参考例に係るコンパクト容器の作用を示す説明図である。
【０００９】
図１並びに図２に示すように、コンパクト容器Ａは、化粧料Ｋを保持する容器本体１と該容器本体１を気密に保つ蓋体２からなり、それぞれポリプロピレン等の合成樹脂により形成されている。また、これら容器本体１と蓋体２の一端にはヒンジ部１ａ、２ａが設けられ、この部分に両側から回動軸３、３を通すことによって両者を枢着している。また、これら容器本体１と蓋体２の他端には、係合突起１ｂと係合爪２ｂが形成されており、両者は蓋体２を回動させて容器本体１に重ねた場合に係合し、コンパクト容器Ａの閉状態を維持することができる。
【００１０】
容器本体１は、中央に平面円形の皿部１ｃが形成され、この皿部１ｃに、例えばファンデーション等の化粧料Ｋが充填されて保持されている。この化粧料Ｋは溶剤を多く含み、揮発性を有するものである。
【００１１】
蓋体２は、その天面２ｃに環状ガスケット４を固定している。この環状ガスケット４は弾性に富むゴム材等により形成されたものであって、容器本体１の皿部１ｃの開口部より大きな径を有する円形の環状体である。この環状ガスケット４は、蓋体２を閉じた際、皿部１ｃの外周部の容器本体１に、すなわち、容器本体１の皿部１ｃを包囲するように圧着するように構成されている。
【００１２】
蓋体２の天面２ｃには、環状ガスケット４の内側に凹面５が形成されている。この凹面５は平面円状を有し、その中央部の、最も高くなった天頂部５ａと、最も低くなった周縁部５ｂとの間になだらかに湾曲した傾斜面５ｃが形成されている。なお、凹面５の平面形状は、容器本体１の皿部１ｃの平面形状と略同一であって、蓋体２を閉じた場合には凹面５の周縁部５ｂと皿部１ｃの周縁部１ｄとが平面上、略重なるように形状及び位置が調整されている。
【００１３】
次に図３を用いて、本実施例の水滴落下防止作用を説明する。まず、同図(a)に示すように、コンパクト容器Ａが気温の高い場所に置かれると、容器内の化粧料Ｋから水、油分等の溶剤が揮発し、この揮発した溶剤は環状ガスケット４により気密に保たれたコンパクト容器Ａ内に充満する。そして、気温が低くなるなどしてコンパクト容器Ａが冷却されると、揮発した溶剤が温度が低くなった蓋体２の天面２ｃに接触してその凹面５上に結露し、多数の水滴Ｗが生じる。
【００１４】
そして、同図(b) に示すように、結露が連続的に発生すると水滴Ｗが成長するが、凹面５には天頂部５ａから周縁部５ｂにかけて傾斜面５ｃが形成されているため、成長した水滴Ｗは、自重により落下する前にこの傾斜面５ｃに沿って流れる。そして、この水滴Ｗは、凹面５で最も低い部分、すなわち周縁部５ｂに達したところで、化粧料Ｋの周縁部に自然落下する。
【００１５】
このように、蒸発した溶剤が結露した水滴Ｗは、凹面５のはたらきにより、凹面５の周縁部５ｂに導かれるため、水滴Ｗが化粧料Ｋの表面中央に落下することを防止することができ、美観に影響を与えることを防止することができる。
【００１６】
なお、化粧料Ｋは溶剤が蒸発した分、収縮して容器本体１の皿部１ｃの縁部との間に隙間Ｓが生じるが、特に本実施例では凹面５の周縁部５ｂと皿部１ｃの周縁部１ｄとの位置を一致させているために、落下した水滴Ｗをこの隙間Ｓに吸収させることができ、化粧料Ｋに溶剤を円滑に再吸収させることができる。
【００１７】
次に、本願発明の第１実施例を図４及び図５を用いて説明する。本実施例のコンパクト容器Ｂは、凹面の表面に水滴を導く放射状に切った溝を特徴とする。図４は蓋体を開いた状態の、第１実施例に係るコンパクト容器の平面図、図５は蓋体を閉じた状態の、第１実施例に係るコンパクト容器の側断面図である。なお、参考例と同一の構成は、同一の符号を付してその説明を援用する（以下、他の実施例も同様）。
【００１８】
図４並びに図５に示すとおり、コンパクト容器Ｂは、その蓋体２の天面２ｃに凹面15が形成されている。この凹面15の平面形状は、参考例の凹面と同様に、容器本体１の皿部１ｃの平面形状と略同一の円形であって、蓋体２を閉じた際に両者のそれぞれの周縁部１ｄ、15ｂが平面上重なる構造となっている。
【００１９】
凹面15は環状ガスケット４の内側に形成され、その中央部に最も高くなった天頂部15ａを有し、最も低くなる周縁部15ｂとの間になだらかに湾曲した傾斜面15ｃを形成している。この凹面15は、さらに、その天頂部15ａが円形に凹んでおり、また、周縁部15ｂも環状に凹んでいる（図５参照）。そして、両者間の傾斜面15ｃには、これら凹んだ部分を連結するように、放射状に複数の溝15ｄが形成されている（図４参照）。
【００２０】
このように形成された第１実施例のコンパクト容器Ｂによっては、凹面15上に結露した水滴は溝15ｄに落ち込み、水滴はこの溝15ｄを伝わって周縁部15ｂに流れ込む。そして、この周縁部15ｂから水滴が落下するため、化粧料Ｋの表面、中央部に水滴が落下することを防止することができる。
【００２１】
特に、溝15ｄ部分は、凹面15の他の平面部分に比べて表面積が大きくなり、揮発した溶剤は溝15ｄ部分で結露しやすくなり、また、水滴が生じた場合でも、溝15ｄ部分では水滴と接触する面積がより大きいために、落下しにくくなる。このため、溝15ｄを放射状に形成することにより、より確実に且つ円滑に凹面15上の水滴を周縁部15ｂへ排除することができる。
【００２２】
なお、本実施例のコンパクト容器Ｂでは、溝15ｄを放射状に設けたが、溝は傾斜面15ｃに沿って高低差を設けて形成すれば水滴の伝導機能を有するものであって、その他、多様な溝の形成態様を選択できることは勿論である。
【００２３】
本発明の第２実施例を図６及び図７を用いて説明する。本実施例のコンパクト容器Ｃは、凹面の表面に、放射状に切った溝に加え、同心円状の溝を形成したことを特徴とする。図６は蓋体を開いた状態の、第２実施例に係るコンパクト容器の平面図、図７は蓋体を閉じた状態の、第２実施例に係るコンパクト容器の側断面図である。
【００２４】
図６並びに図７に示すとおり、コンパクト容器Ｃは、その蓋体２の天面２ｃに凹面25が形成されている。この凹面25の平面形状は、参考例の凹面と同様に、容器本体１の皿部１ｃの平面形状と略同一の円形であって、蓋体２を閉じた際に両者のそれぞれの周縁部１ｄ、25ｂが平面上重なる構造となっている。
【００２５】
凹面25は環状ガスケット４の内側に形成され、その中央部に最も高くなった天頂部25ａを有し、最も低くなる周縁部25ｂとの間になだらかに湾曲した傾斜面25ｃを形成している。この凹面25は、さらに、その天頂部25ａが円形に凹んでおり、また、周縁部25ｂも環状に凹んでいる（図７参照）。そして、両者間の傾斜面25ｃには、これら凹んだ部分を連結する複数の放射状溝25ｄが形成され、また、天頂部25ａを中心として複数の同心円状溝25ｅが形成されている（図６参照）。
【００２６】
以上のように形成された第２実施例のコンパクト容器Ｃにおいては、凹面25上に結露した水滴は放射状溝25ｄに沿って流れ、周縁部25ｂへ排除される。加えて、本実施例では、同心円状溝25ｅが結露した水滴をより効率的に両溝25ｄ、25ｅ内に集めるとともに、表面積をより大きくして両溝25ｄ、25ｅ内に結露しやすくしており、同時に水滴が落下しにくくしているために、さらに確実に且つ円滑に凹面25上の水滴を周縁部25ｂへ除去することができる。
【００２７】
なお、以上説明を行った、いずれの実施例も、凹面の平面形状を円形としたが、その他、楕円形や四角形等、多様な形状が選択できることは勿論である。また、いずれの実施例においても凹部の最も高くなった天頂部を中央に設定したが、天頂部の形成位置は偏心させてもよい。さらに凹面の傾斜面は、いずれの実施例においてもなだらかな湾曲形状となるものを示したが、傾斜を直線的なものとし、凹面を傘形状や円錐台形状としてもよい。
【００２８】
【発明の効果】
本発明のコンパクト容器は、蓋体の天面に凹面が形成されているために、化粧料から揮発して蓋体の天面上に結露した溶剤は凹面の傾斜面に沿ってその周縁部に流れるため、結露した溶剤が化粧料の表面に無造作に落下することがなく、もって化粧料表面の美観を保つことができる効果を有する。
【００２９】
さらに、上記コンパクト容器において蓋体の凹面の天頂部側から周縁部側にかけて複数の溝を形成すれば、より確実且つ円滑に結露した溶剤を周縁部に導くことができる。特に、溝部分は平面部に比べて表面積が大きくなるために、この部分に結露が発生しやすくなり、また結露した場合でも水滴との接触面積が大きくなるために水滴が容易に落下せず、結露垂れを確実に防止することができる。
【図面の簡単な説明】
【図１】  蓋体を開いた状態の、参考例に係るコンパクト容器の平面図である。
【図２】  蓋体を閉じた状態の、参考例に係るコンパクト容器の側断面図である。
【図３】  参考例に係るコンパクト容器の作用を示す説明図である。
【図４】  蓋体を開いた状態の、第１実施例に係るコンパクト容器の平面図である。
【図５】  蓋体を閉じた状態の、第１実施例に係るコンパクト容器の側断面図である。
【図６】  蓋体を開いた状態の、第２実施例に係るコンパクト容器の平面図である。
【図７】  蓋体を閉じた状態の、第２実施例に係るコンパクト容器の側断面図である。
【符号の説明】
Ａ、Ｂ、Ｃ …コンパクト容器
Ｋ …化粧料
Ｐ …空気層
Ｓ …隙間
Ｗ …水滴
１ …容器本体
２ …蓋体
２ｃ、２ｄ …天面
４、１４ …環状ガスケット
５、15、25 …凹面
５ａ、15ａ、25ａ …天頂部
５ｂ、15ｂ、25ｂ …周縁部
５ｃ、15ｃ、25ｃ …傾斜面
15ｄ …溝
25ｄ …放射状溝
25ｅ …同心円状溝
【図１】
0003898793.tif 000002
【図２】
0003898793.tif 000003
【図３】
0003898793.tif 000004
【図４】
0003898793.tif 000005
【図５】
0003898793.tif 000006
【図６】
0003898793.tif 000007
【図７】
0003898793.tif 000008